(57)【要約】【課題】掃除機内で、種々の細菌類の増殖を抑えることを可能にし、しかも、紙フィルターや紙パック等の交換を全く不要にすることのできるサイクロン集塵装置を備えた掃除機を提供する。【解決手段】空気と共に吸入される比較的に大きな埃や汚物を旋回気流の遠心力作用により分離して収集するサイクロン集塵装置２１を、水フィルター式の真空掃除機１に接続した構成とする。水フィルター式の真空掃除機１は、吸引されたゴミと埃をタンク室４内に貯めてある水によってフィルタリングさせる着脱可能な水流管６と、タンク室４内に残留したゴミと埃から動力源Ｐを保護する着脱可能なネットバスケット状の保護フィルター７とを備えている。【選択図】図１
0003106775.tif 000002
【実用新案登録請求の範囲】
【請求項１】
空気と共に吸入される比較的に大きな埃や汚物を旋回気流の遠心力作用により分離して収集するサイクロン集塵装置を、水フィルター式の真空掃除機に接続したことを特徴とするサイクロン集塵装置を備えた掃除機。
【請求項２】
水フィルター式の真空掃除機は、吸引されたゴミと埃をタンク室内に貯めてある水によってフィルタリングさせる着脱可能な水流管と、タンク室内に残留したゴミと埃から動力源を保護する着脱可能なネットバスケット状の保護フィルターとを備えた請求項１に記載のサイクロン集塵装置を備えた掃除機。
【請求項３】
保護フィルターの内部には、吸引した汚物による汚れが当該保護フィルターに表示されている所定の最大レベル値まで到達すると自動的に吸引を停止させる安全ボールを備えている請求項１または２に記載のサイクロン集塵装置を備えた掃除機。
【請求項４】
サイクロン集塵装置は、当該装置に着脱可能な延長管を介して、吸引ノズル、カーペット用ブラシ、ウオーターブラシ、マルチブラシのいずれかの吸引口が取り付けられるようにした請求項１乃至３のいずれかに記載のサイクロン集塵装置を備えた掃除機。
【請求項５】
前記水流管、保護フィルター、安全ボールのそれぞれは、真空掃除機から取り外して洗浄可能である請求項１乃至４のいずれかに記載のサイクロン集塵装置を備えた掃除機。
【請求項６】
吸引の開始・停止、吸引の強さを調節するスイッチを備えている請求項１乃至５のいずれかに記載のサイクロン集塵装置を備えた掃除機。
【考案の詳細な説明】
【技術分野】
【０００１】
本考案は、各種サイズの汚物を濾過して収集するサイクロン集塵装置を備えた掃除機に関するものである。
【背景技術】
【０００２】
従来において、この種の掃除機としては、例えば、吸引口から空気と共に吸入される比較的に大きな埃や汚物を旋回気流の遠心力作用により分離して収集するサイクロン集塵装置を接続して成る延長管を、連結ホースを介して、紙フィルター式の真空掃除機に接続した構成のものが存在する。
【特許文献１】なし
【考案の開示】
【考案が解決しようとする課題】
【０００３】
しかしながら、従来の掃除機は、サイクロン集塵装置で真空掃除機の紙フィルターの交換周期を延ばせるものの、紙フィルター式の真空掃除機を使用しているため、当該紙フィルターや汚物収集の紙パック内で種々の細菌類が増殖してしまう虞れがある。
【０００４】
また、従来の掃除機においては、サイクロン集塵装置と水フィルター式の真空掃除機とを組み合わせた構成のものが存在しなかった。
【０００５】
そこで、本考案は如上のような従来存した諸事情に鑑み創案されたもので、掃除機内で、種々の細菌類の増殖を抑えることを可能にし、しかも、紙フィルターや紙パック等の交換を全く不要にすることのできるサイクロン集塵装置を備えた掃除機を提供することを目的とする。
【課題を解決するための手段】
【０００６】
上述した目的を達成するため、本考案に係るサイクロン集塵装置を備えた掃除機は、空気と共に吸入される比較的に大きな埃や汚物を旋回気流の遠心力作用により分離して収集するサイクロン集塵装置を、水フィルター式の真空掃除機に接続したことによって、上述した課題を解決した。
【０００７】
また、水フィルター式の真空掃除機は、吸引されたゴミと埃をタンク室内に貯めてある水によってフィルタリングさせる着脱可能な水流管と、タンク室内に残留したゴミと埃から動力源を保護する着脱可能なネットバスケット状の保護フィルターとを備えたことで、同じく上述した課題を解決した。
【０００８】
さらに、保護フィルターの内部には、吸引した汚物による汚れが当該保護フィルターに表示されている所定の最大レベル値まで到達すると自動的に吸引を停止させる安全ボールを備えていることで、同じく上述した課題を解決した。
【０００９】
また、サイクロン集塵装置は、当該装置に着脱可能な延長管を介して、吸引ノズル、カーペット用ブラシ、ウオーターブラシ、マルチブラシのいずれかの吸引口がり取り付けられるようにしたことで、同じく上述した課題を解決した。
【００１０】
加えて、前記水流管、保護フィルター、安全ボールのそれぞれは、真空掃除機から取り外して洗浄可能であることで、同じく上述した課題を解決した。
【００１１】
また、吸引の開始・停止、吸引の強さを調節するスイッチを備えていることで、同じく上述した課題を解決した。
【００１２】
本考案に係るサイクロン集塵装置を備えた掃除機において、サイクロン集塵装置は、吸引口から空気と共に吸入される比較的に大きな埃や汚物を、旋回気流の遠心力作用により濾過し、サイクロン集塵装置内に分離して収集させる。そして、比較的に小さな埃や汚物は、真空掃除機内のタンク室内に送られ、ここで水フィルタリングによって捕獲される。
【考案の効果】
【００１３】
本考案は、以上のように構成されているために、真空掃除機内で種々の細菌類の増殖を抑えることが可能となり、しかも、紙フィルターや紙パック等の交換を全く不要にすることができる。
【００１４】
また、吸引口から空気と共に吸入される比較的に大きな埃や汚物を、サイクロン集塵装置の旋回気流の遠心力作用により濾過し、サイクロン集塵装置内に分離して収集するので、真空掃除機のタンク内の水フィルターに収集される汚物量を極端に減らすことができ、水の交換周期を延ばすことができる。
【考案を実施するための最良の形態】
【００１５】
以下に、本考案を実施するための最良の形態を、図面を参照して説明する。本考案に係るサイクロン集塵装置を備えた掃除機は、水フィルター式の真空掃除機１に、サイクロン集塵装置２１を接続した構成のものである。
【００１６】
この真空掃除機１は、図１に示すように、例えば、バックル機構２Ａによって上部を開閉可能とした取っ手２Ｂ付きの上部カバー２を備え、下部側の四隅には、移動用キャスター３を取り付けてある。そして、真空掃除機１の内部には、図３（ｂ）に示すように、水を貯めておくタンク室４が設けられている。また、当該タンク室４の上側には、図２（ａ）に示すように、集塵室形成用の桶部材５が、着脱可能となるように装着されている。
【００１７】
さらに、図２（ｂ）に示すように、桶部材５の下部には、タンク室４内に貯めてある水によって、吸引されたゴミと埃をフィルタリングさせる略エルボー管状の水流管６が、着脱可能となるように装着されている。この水流管６の先端開口側は、タンク室４内の水に浸漬されている。
【００１８】
また、桶部材５の下部における水流管６に隣接した部位には、タンク室４内に残留したゴミと埃から動力源Ｐを保護するためのネットバスケット状の保護フィルター７が、着脱可能となるように装着されている。一方、桶部材５の側面には、前記水流管６に連通する吸入口１１が設けられている。そして、可撓性のある蛇腹状の連結ホース９を一方向に回転して装着するために、真空掃除機１の接続口１０と前記吸入口１１を連通させてある。
【００１９】
保護フィルター７の内部には、吸引した汚物による汚れが、当該保護フィルター７に表示されている所定の最大レベル値まで到達すると、自動的に吸引を停止させる不図示のスポンジ付きの安全ボールが収納されている。また、前記水流管６、保護フィルター７、安全ボールのそれぞれは、図２（ｂ）、図３（ａ）（ｃ）に示すように、桶部材５から取り外して、例えば、水洗い等の洗浄が可能である。
【００２０】
サイクロン集塵装置２１は、図１に示すように、真空掃除機１に接続された可撓性のある蛇腹状の連結ホース９の先端の、ハンドルグリップ２２側の開口端と、吸引口８を連結する延長管２３に着脱可能に接続されている。そして、この延長管２３を介して、吸引ノズル、カーペット用ブラシ、ウオーターブラシ、マルチブラシのいずれかの吸引口８が取り付けられる。
【００２１】
また、ハンドルグリップ２２には、図４に示すように、吸引の開始・停止と、吸引力の強さを調節する機能を備えたスイッチ２９が設けられている。このスイッチ２９は、例えば、真空掃除機１の受光部３０に赤外線を照射して、真空掃除機１のメインスイッチ３１のＯＮ・ＯＦＦ、また、吸引力の強さを調節する照射機構３２を備えている。尚、ハンドルグリップ２２にスイッチ２９を設けることなく、真空掃除機１のメインスイッチ３１を手で操作して、吸引の開始・停止等を制御しても良い。
【００２２】
サイクロン集塵装置２１は、図３（ｅ）に示すように、延長管２３を連結する連結管２７を有するサイクロン胴体２４と、サイクロン胴体２４に着脱自在に結合される汚物収集桶２５と、汚物収集桶２５をサイクロン胴体２４に対して着脱自在に支持する、例えば、カムリング回転操作式等の固定手段２６を備えている。
【００２３】
また、前記連結管２７は、サイクロン胴体２４の中心に位置するのではなく、一方に偏るように位置しているため、真空掃除機１の延長管２３を分離させることなく、汚物収集桶２５を取り外して、汚物収集桶２５に収集された汚物を捨てることができる。さらに、サイクロン胴体２４の空気流出口側には、空気と共に汚物が通過することを防止するために、複数の微細貫通孔を有する不図示の汚物分離用グリルが設けられている。
【００２４】
次に、以上のように構成された本考案の最良の形態について、使用・動作の一例を説明する。まず、図２（ａ）に示すように、バックル機構２Ａを開放して取っ手２Ｂ付きの上部カバー２を開き、真空掃除機１から桶部材５を取り出す。そして、タンク室４内に所定量の水を入れてから桶部材５を真空掃除機１に装着し、上部カバー２を閉じてバックル機構２Ａで締結する。
【００２５】
そして、図１に示すように、真空掃除機１の接続口１０に連結ホース９を一方向に回転させながら装着し、連結ホース９の先端のハンドルグリップ２２側の開口端に、サイクロン集塵装置２１のサイクロン胴体２４を取り付ける。このサイクロン胴体２４には、汚物収集桶２５を固定手段２６を介して取り付け、サイクロン胴体２４の連結管２７に延長管２３を取り付ける。その後、掃除箇所に応じて、当該延長管２３の先端に、吸引ノズル、カーペット用ブラシ、ウオーターブラシ、マルチブラシのいずれかの吸引口８を取り付ける。最後に、コンセントに電源コード２８のプラグを差し込み、ハンドルグリップ２２のスイッチ２９を操作して、真空掃除機１の動力源Ｐを駆動させる。
【００２６】
掃除に際しては、サイクロン集塵装置２１によって吸引口８から空気と共に吸入される比較的に大きな埃や汚物は、汚物収集桶２５内に収集される。すなわち、大きな埃や汚物は、サイクロン集塵装置２１の旋回気流の遠心力作用により濾過され、汚物収集桶２５内に分離して収集される。そして、比較的に小さな埃や汚物は、連結ホース９を介して真空掃除機１内のタンク室４内に送られ、ここで水フィルタリングによって捕獲される。このとき、カビ、花粉、バクテリア等も同時に除去される。
【００２７】
掃除終了後には、図３（ｅ）（ｆ）に示すように、ハンドルグリップ２２から、サイクロン胴体２４、汚物収集桶２５、延長管２３のそれぞれを互いに分離させて、当該汚物収集桶２５内に収集した汚物を捨てる。また、真空掃除機１の上部カバー２を開放し、タンク室４内の汚れた水を捨てる。そして、図３（ａ）（ｃ）（ｄ）に示すように、水流管６、保護フィルター７、安全ボールのそれぞれを桶部材５から取り外し、例えば、水洗い等で洗浄した後、天日干し等で乾燥すれば良い。
【産業上の利用可能性】
【００２８】
本考案は、掃除機内で、種々の細菌類の増殖を抑えることを可能にし、しかも、紙フィルターや紙パック等の交換を全く不要にすることのできるサイクロン集塵装置を備えた掃除機として、一般の家庭用や業務用の掃除機として、広く使用することができる。
【図面の簡単な説明】
【００２９】
【図１】水フィルター式の真空掃除機と、サイクロン集塵装置とから成る掃除機の構成を示した分解斜視図である。
【図２】真空掃除機の構成を示したもので、（ａ）は真空掃除機から上部カバーと桶部材を分離した状態の斜視図、（ｂ）は桶部材から水流管を分離した状態の斜視図である。
【図３】真空掃除機の使用後の状態を説明したもので、（ａ）は水流管を洗浄している状態の斜視図、（ｂ）はタンク室内の汚水を捨てている状態の斜視図、（ｃ）は保護フィルターを洗浄している状態の斜視図、（ｄ）は保護フィルターを天日干ししている状態の斜視図、（ｅ）はハンドルグリップからサイクロン胴体、延長管のそれぞれを互いに分離させた状態の斜視図、（ｆ）はサイクロン胴体から汚物収集桶を分離させる状態の斜視図である。
【図４】水フィルター式の真空掃除機と、サイクロン集塵装置におけるスイッチの機構を説明した一部拡大の斜視図である。
【符号の説明】
【００３０】
Ｐ…動力源
１…真空掃除機                  ２…上部カバー
２Ａ…バックル機構              ２Ｂ…取っ手
３…移動用キャスター            ４…タンク室
５…桶部材                      ６…水流管
７…保護フィルター              ８…吸引口
９…連結ホース                １０…接続口
１１…吸入口
２１…サイクロン集塵装置        ２２…ハンドルグリップ
２３…延長管                    ２４…サイクロン胴体
２５…汚物収集桶                ２６…固定手段
２７…連結管                    ２８…電源コード
２９…スイッチ                  ３０…受光部
３１…メインスイッチ            ３２…照射機構
【図１】
0003106775.tif 000003
【図２】
0003106775.tif 000004
【図３】
0003106775.tif 000005
【図４】
0003106775.tif 000006